(57)【要約】【課題】配線を安定させて損傷や断線等の不具合を防止することができる遊技機を提供する。【解決手段】球流路ユニット９０の流路ユニット発光基板１０３と中継基板１０８とを接続する配線１０９を備えたパチンコ遊技機において、流路ユニット発光基板１０３と中継基板１０８との間には、結束バンド１１１を介して配線１０９を係合する配線係合部１１３を備え、該配線係合部１１３には、結束バンド１１１の移動を規制する係合移動規制部１１８を備えた。【選択図】図５
2019146728.tif 000002
【特許請求の範囲】
【請求項１】
基板同士を接続する配線を備えた遊技機において、
前記基板同士の間には、係合部材を介して前記配線を係合する配線係合部を備え、
該配線係合部には、前記係合部材の移動を規制する係合移動規制部を備えたことを特徴とする遊技機。
【請求項２】
遊技の進行に伴って動作可能な可動部材に前記基板のいずれかを備え、
前記可動部材は、前記配線係合部を当該可動部材に対して相対運動し得る状態で装着したことを特徴とする請求項１に記載の遊技機。
【発明の詳細な説明】
【技術分野】
【０００１】
本発明は、遊技機に関する。
【背景技術】
【０００２】
従来の遊技機、例えばパチンコ遊技機やスロットマシンにおいては、始動条件の成立に基づき複数の識別情報を変動表示する変動表示ゲームを実行し、該変動表示ゲームの結果が予め定められた特別結果となると遊技者に有利な特別遊技状態を発生させるものが知られている。そして、遊技の進行（変動表示ゲームの実行等）のために、電気基板や可動部材や発光部材を複数備えており、これらを互いに接続する配線を多く用いている。
【先行技術文献】
【特許文献】
【０００３】
【特許文献１】特開２００１−３１００４４号公報
【発明の概要】
【発明が解決しようとする課題】
【０００４】
ところで、昨今の遊技機においては、当該遊技機内の限られた空間内で多くの配線を結束したり係合したりする必要がある。このとき、配線の結束状態や係合状態が不安定であると、配線に不用意な外力が掛ってしまう虞、ひいては、外力によって配線が損傷したり断線したりする虞がある。
【０００５】
本発明は、上記の事情に鑑みてなされたものであり、その目的は、配線を安定させて損傷や断線等の不具合を防止することができる遊技機を提供しようとするものである。
【課題を解決するための手段】
【０００６】
本発明は、上記目的を達成するために提案されたものであり、請求項１に記載のものは、基板同士を接続する配線を備えた遊技機において、
前記基板同士の間には、係合部材を介して前記配線を係合する配線係合部を備え、
該配線係合部には、前記係合部材の移動を規制する係合移動規制部を備えたことを特徴とする遊技機である。
【発明の効果】
【０００７】
本発明によれば、遊技機内の配線を安定させて損傷や断線等の不具合を防止することができる。
【図面の簡単な説明】
【０００８】
【図１】パチンコ遊技機の斜視図である。
【図２】遊技盤の正面図である。
【図３】遊技盤の分解斜視図である。
【図４】センターケースの分解斜視図である。
【図５】球流路ユニットと大入賞口ソレノイドとを後方から見た斜視図である。
【図６】球流路ユニットと大入賞口ソレノイドとの分解斜視図である。
【図７】大入賞口ソレノイドが装着された球流路ユニットの説明図であり、（ａ）は背面図、（ｂ）は（ａ）のＡ−Ａ断面図、（ｃ）は（ｂ）のＢ領域の部分拡大図、（ｄ）は無端帯状にする前の結束バンドの斜視図である。
【図８】基板カバーを後方から見た斜視図である。
【図９】基板カバーの背面図である。
【図１０】基板カバーの側面図である。
【図１１】制御ユニットの分解斜視図である。
【図１２】下側役物ユニットの分解斜視図である。
【図１３】下側回動役物の説明図であり、（ａ）は斜視図、（ｂ）は分解斜視図である。
【図１４】下側回動役物の動作の概略図であり、（ａ）は演出非実行状態の概略図、（ｂ）は演出非実行状態から上方へ回動した状態の概略図である。
【図１５】下側回動役物の演出実行状態の概略図である。
【図１６】下側回動役物に軸着される役物側配線係合部の説明図であり、（ａ）は正面図、（ｂ）は斜視図である。
【図１７】下側ユニットカバーに備えられたカバー側配線係合部の説明図であり、（ａ）は下方から見た下側役物ユニットの部分斜視図、（ｂ）はカバー側配線係合部の底面図である。
【図１８】下側役物ユニットの各配線係合部に配線を係合した状態の説明図である。
【図１９】遊技制御装置を中心に示した制御系統のブロック図である。
【図２０】演出制御装置を中心に示した制御系統のブロック図である。
【図２１】下側回動役物の回動動作に伴う発光接続配線の挙動の概略図であり、（ａ）は演出非実行状態の概略図、（ｂ）は演出非実行状態から上方へ回動した状態の概略図である。
【図２２】下側回動役物を演出実行状態にしたときの発光接続配線の概略図である。
【図２３】回動役物ベース上の役物側配線係合部の挙動の説明図であり、（ａ）は下側回動役物を演出非実行状態にしたときの説明図、（ｂ）は下側回動役物を演出実行状態にしたときの説明図である。
【発明を実施するための形態】
【０００９】
以下、代表的な遊技機であるパチンコ遊技機を例に挙げて図面に基づき説明する。なお、説明の便宜上、パチンコ遊技機に対して遊技者側を「前」または「表」と称し、パチンコ遊技機を挟んで遊技者とは反対側を「後」または「裏」と称す。
パチンコ遊技機１は、図１に示すように、矩形状の機枠（外枠）２の一側（図１中、左側）に前面枠（内枠）３を開閉可能な状態で軸着し、該前面枠３内には、発射装置（図示せず）により発射された遊技球が流下可能な遊技領域５が表面に区画形成された矩形状の遊技盤６（図２参照）を収納可能としている。また、前面枠３の表面のうち機枠２への軸着側（図１中、左側）には透明部材保持枠８を開閉可能に設け、該透明部材保持枠８に透視可能な透明部材９を保持し、透明部材９を通して遊技領域５をパチンコ遊技機１の前方から透視できるように構成している。さらに、透明部材保持枠８の上部の左右両側には、効果音を発する上スピーカ１１を備え、透明部材保持枠８の下部には上皿ユニット１３を備え、透明部材保持枠８の下方には下皿ユニット１４を配置している。そして、透明部材保持枠８の一側縁（図１中、右側縁）には、パチンコ遊技機１の機種名やメーカー名を表記する等して装飾を施した保持枠突出部８ａを前方へ突設し、隣の席から当該パチンコ遊技機１の遊技進行が覗き見られることを保持枠突出部８ａにより抑制するように構成されている。また、下皿ユニット１４の一側方（図１中、右側方）には、発射装置を操作するための発射操作ユニット（発射操作ハンドル）１５を備え、下皿ユニット１４の左右両側方には、効果音を発する下スピーカ１６を備え、上皿ユニット１３の前側には、遊技中に遊技者が操作するための遊技演出ボタン１７を備えている。
【００１０】
遊技盤６は、図２および図３に示すように、遊技板１９の表面に、装飾模様が印刷された装飾用のセルシート２０を貼付し、該セルシート２０の上から透光可能な複数のサイドケース２１を枠状に連結した状態で止着して当該遊技盤６の基部となる遊技ベースユニット２２を構成し、サイドケース（区画部材）２１により遊技領域５を区画形成している。また、遊技領域５の上寄りには、中央部分が開口されたセンターケース２３を配設し、該センターケース２３の左右両側には、遊技球が通過可能なケース球流下路（右側に位置する第１ケース球流下路２６，左側に位置する第２ケース球流下路２７）を備えている。さらに、第１ケース球流下路２６の前側には流下路カバー２６ａを装着し、第１ケース球流下路２６の下流側には普図始動ゲート２８を配設し、普図始動ゲート２８に入賞（通過）した遊技球をゲートスイッチ２９により検出可能としている。そして、遊技球の普図始動ゲート２８への入賞（詳しくは、ゲートスイッチ２９による遊技球の検出）を始動条件（普図始動条件）として普図変動表示ゲームを実行可能としている。さらに、第１ケース球流下路２６の下流部のうち普図始動ゲート２８よりも上流側に位置する箇所の側方には大入賞口３１を配設し、第１ケース球流下路２６の上流部には一般入賞口３２を配設している。なお、大入賞口３１の構成については、後で詳細に説明する。
【００１１】
さらに、センターケース２３の中央部分の下方には、遊技盤６の左右方向の中央部分に位置する第１始動入賞口３６を備え、該第１始動入賞口３６よりも第１ケース球流下路２６側（図２中、右側）にずれた箇所には、普通電動役物（開閉部材）４１ａが備えられた第２始動入賞口４１を配設し、第２ケース球流下路２７側（図２中、左側）にずれた箇所には一般入賞口４２を配設している。また、第１始動入賞口３６には、当該第１始動入賞口３６に入賞した遊技球を検出可能な第１始動口スイッチ４６を備え、第２始動入賞口４１には、当該第２始動入賞口４１に入賞した遊技球を検出可能な第２始動口スイッチ４７を備えている。そして、第１始動入賞口３６への遊技球の入賞（詳しくは、第１始動口スイッチ４６による遊技球の検出）を始動条件として特図１変動表示ゲームを実行可能とし、第２始動入賞口４１への遊技球の入賞（詳しくは、第２始動口スイッチ４７による遊技球の検出）を始動条件として特図２変動表示ゲームを実行可能としている。さらに、特図１変動表示ゲームの実行中に遊技球が第１始動入賞口３６へ入賞した場合には、この入賞に基づく新たな特図１変動表示ゲームの実行を特図１始動記憶として予め設定された上限数（本実施形態では４つ）まで記憶して保留する。また、特図２変動表示ゲームの実行中に遊技球が第２始動入賞口４１へ入賞した場合には、この入賞に基づく新たな特図２変動表示ゲームの実行を特図２始動記憶として予め設定された上限数（本実施形態では４つ）まで記憶して保留する。
【００１２】
さらに、第１始動入賞口３６の下方に位置する遊技領域５の下端には、入賞せずに流下してきた遊技球を回収するアウト口４９を開設し、遊技領域５のうち、センターケース２３や始動入賞口３６，４１等の遊技用部材の取付部分を除いた箇所には風車５０や複数の障害釘（図示せず）を植設している。そして、サイドケース２１の一側の下部（図２中、右下部）には一括表示装置５１を備え、該一括表示装置５１において普図変動表示ゲーム、特図変動表示ゲーム（特図１変動表示ゲーム，特図２変動表示ゲーム）、遊技状態の表示等を行うように構成されている。
【００１３】
また、遊技ベースユニット２２の裏面側には、図３に示すように、中央部が透光性を有する制御ユニット（裏面構成体）５４を装着し、該制御ユニット５４の裏側には表示装置５５を装着して制御ユニット５４の中央部（透光部）およびセンターケース２３の中央部から表示装置５５の表示部５５ａを前方へ臨ませ（図２参照）、複数の識別情報を変動表示させる飾り特図変動表示ゲーム（特図１変動表示ゲームや特図２変動表示ゲームに対応する演出表示）を表示部５５ａで表示可能としている。なお、表示装置５５は、長方形の表示部５５ａを縦向き（上下寸法が左右寸法よりも長くなる姿勢）にして制御ユニット５４に装着されている。さらに、図２に示すように、制御ユニット５４のうち表示部５５ａの上側部分の前方には、横長な仕切り板（仕切り材）５７を配置して表示部５５ａを上下に仕切り、大きさが異なる２つの表示手段が装着されているかのように見せている。
【００１４】
そして、制御ユニット５４の下部には入賞球流路５６を備え、該入賞球流路５６を始動入賞口３６，４１等の入賞装置の後部へ接続し、遊技領域５を流下して入賞装置に入賞した遊技球（入賞球）を入賞球流路５６へ回収可能としている。さらに、制御ユニット５４の裏側のうち表示装置５５の下方には、遊技を統括的に制御する遊技制御装置（遊技制御手段）５８を装着し、表示装置５５の裏側には、遊技における演出動作を制御する演出制御装置（演出制御手段）５９を装着している。
【００１５】
次に、センターケース２３について説明する。
センターケース２３は、図４に示すように、透光性を有する枠状のケースベース６１を当該センターケース２３の基部として備え、該ケースベース６１の中央部分には、表示装置５５を視認可能とするケース窓部６２を開設している。また、ケースベース６１の上辺部の前面には、センターケース２３の前方へ向けて突出した庇状の鎧部６３をセンターケース２３の左右両側へ向けて下り傾斜した円弧状態で配置している。そして、ケース窓部６２の上縁部には、横長なケース上部装飾パネル６４を配置している。
【００１６】
さらに、鎧部６３の傾斜下端に左右両側のケース球流下路２６，２７の上流開口をそれぞれ臨ませ、ケース窓部６２と各ケース球流下路２６，２７との間には、遊技球がケース球流下路２６，２７からケース窓部６２への侵入を阻止する球侵入阻止壁６６を前方へ向けてそれぞれ突設している。そして、第１ケース球流下路２６を左右方向へ蛇行する状態に形成し、該第１ケース球流下路２６の下流開口をセンターケース２３の下方へ開放している。また、第２ケース球流下路２７の中流部においては左右に分岐し、下流部においては両分岐路を合流させ、第２ケース球流下路２７の下流開口をセンターケース２３の側方へ開放している。なお、第１ケース球流下路２６の区画壁、流下路カバー２６ａ、第２ケース球流下路２７の区画壁をそれぞれ透光性部材（透明樹脂等）で構成し、第２ケース球流下路２７の後方には流下路装飾部材６７と流下路発光基板６８とを配置し、第２ケース球流下路２７を介して流下路装飾部材６７の外観および流下路発光基板６８からの光を遊技者側から視認可能としている。また、第１ケース球流下路２６の後方の構造については、後で詳細に説明する。
【００１７】
そして、図２および図４に示すように、第１ケース球流下路２６側（図２中、右側）に位置する球侵入阻止壁６６には、遊技に関する情報（例えば、各変動表示ゲームの実行保留数等の情報）を表示するための情報表示装置７０を備えている。具体的に説明すると、球侵入阻止壁６６には、透光性を有する縦長なレンズカバー部７０ａを備えて情報表示装置７０の前側部とし、該レンズカバー部７０ａの後方には、複数個のＬＥＤを実装した情報表示基板７０ｂを配置して情報表示装置７０の後側部としている。そして、ＬＥＤの発光によって情報を遊技者へ伝達するように構成されている。
【００１８】
また、第２ケース球流下路２７側（図２中、左側）に位置する球侵入阻止壁６６の側方には、遊技者が手等を近づけて入力操作する近接操作部（入力部）７２を備えている。具体的には、図３および図４に示すように、第２ケース球流下路２７側の球侵入阻止壁６６の側方には、近接操作部７２の前側を構成する近接装飾パネル７２ａを透光可能な状態で配置し、該近接装飾パネル７２ａには、人の手を模した図形装飾と「タッ手」の文字装飾とを施している。さらに、近接装飾パネル７２ａの後方には、図示しない近接センサ（例えば、透光部と受光部とを備えた光電センサ）を近接操作部７２の一部として配置し、遊技者が自らの手や、手に持った物品等を透明部材９越しに近接装飾パネル７２ａへ近づけてかざすと、近接センサが近接物（手や物品等）を検出して信号を遊技制御装置５８へ出力し、遊技制御装置５８がこの受信信号に基づいて遊技の進行を設定するように構成されている。なお、第２ケース球流下路２７側の球侵入阻止壁６６の側方には、遊技者が入力操作可能な近接操作部７２を備えず、その代わりに、遊技者に情報を提供する出力部（例えば、遊技内容の告知を行う告知ランプ）を配置してもよい。
【００１９】
そして、ケースベース６１の下辺部には、遊技球が横方向（前後方向および左右方向）へ転動可能なステージ部７６を配置し、ステージ部７６の左右方向の中央部には、遊技球をステージ部７６上からステージ部７６の前方および下方へ案内する案内溝７７を備えている（図２参照）。また、ステージ部７６の後方には、ステージ部７６上の遊技球が後方の表示装置５５側へ進入することを規制する透光性の進入規制壁７８を立設し、ステージ部７６の一側端（図２中、左側端）には、遊技球が流下可能な球導入路（ワープ流路）７９を設けている。そして、球導入路７９の入口を第２ケース球流下路２７の下方へ開放し、球導入路７９の出口をステージ部７６へ向けて開放し、遊技球が第２ケース球流下路２７から球導入路７９を通ってステージ部７６上へ到達できるように構成されている。
【００２０】
第１ケース球流下路２６の側方に設けられた大入賞口３１は、図４および図５に示すように、ケースベース６１のうち普図始動ゲート２８の上方からステージ部７６側（図４中、左側）へずれた位置に開設された大入賞開口８３と、遊技球が第１ケース球流下路２６から大入賞開口８３へ流下することを許容したり阻止したりする羽根状の大入賞開閉部材８４と、該大入賞開閉部材８４に開閉動作を行わせる大入賞口ソレノイド８５（図５参照）と、大入賞開口８３を通過した遊技球（入賞球）を検出可能なカウントスイッチ（大入賞口スイッチ）８６とを備えて構成されている。さらに、遊技球の大入賞口３１への入賞を阻止する閉状態においては、大入賞開閉部材８４が縦向き姿勢となり（図２参照）、遊技球の大入賞口３１への入賞を許容する開状態において、大入賞開閉部材８４が下端部を回動中心として回動して上端部を普図始動ゲート２８側へ移動するように構成されている。
【００２１】
さらに、図３および図４に示すように、ケースベース６１のうち第１ケース球流下路２６の後方には、一般入賞口３２に入賞した遊技球（入賞球）を回収して流下させるための縦長な球流路ユニット９０を備え、球流路ユニット９０の下方には、大入賞口３１に入賞した遊技球を流下させる大入賞球流下路９４を備えている。そして、該大入賞球流下路９４の上流部にはカウントスイッチ８６を臨ませ、大入賞球流下路９４の下流部には大入賞球流下検出スイッチ９６を備えて遊技球（下流部まで流下してきた遊技球）を検出可能としている。さらに、大入賞球流下検出スイッチ９６よりも上流側からＶ入賞流路９７を分岐してＶ入賞検出スイッチ９８を備え、Ｖ入賞流路９７の入口をＶ入賞シャッター９９により開閉可能とし、Ｖ入賞シャッター９９を開いた状態では、大入賞球流下路９４を流下する遊技球がＶ入賞流路９７へ流入してＶ入賞検出スイッチ９８により検出され、Ｖ入賞シャッター９９を閉じた状態では、大入賞球流下路９４を流下する遊技球がＶ入賞流路９７へ流入せずにＶ入賞シャッター９９上を通過し、大入賞球流下路９４の下流部に到達して大入賞球流下検出スイッチ９６により検出されるように構成されている。
【００２２】
次に、第１ケース球流下路２６の後方に配置される球流路ユニット９０について説明する。
球流路ユニット９０は、図５から図７に示すように、大入賞口３１の一部である大入賞口ソレノイド８５が後方に装着されるユニットであり、一般入賞口３２に入賞した遊技球（入賞球）を回収する縦長な入賞球回収樋１０１と、前側のフロントパネル１０２ａと後側のリアケース１０２ｂとを重ねて構成される箱状の回収樋収容ケース１０２と、回収樋収容ケース１０２の後方に配置される流路ユニット発光基板（電気基板）１０３と、該流路ユニット発光基板１０３を後方から被覆する基板カバー１０４と、当該球流路ユニット９０の一側部（詳しくは、表示装置５５側）を装飾する側部装飾パネル１０５とを備えて構成されている。そして、回収樋収容ケース１０２内に入賞球回収樋１０１を収容し、入賞球回収樋１０１の上流開口を一般入賞口３２に連通し、入賞球回収樋１０１の下流開口を入賞球流路５６の上部の一側（図３中、右側）へ連通している。
【００２３】
また、入賞球回収樋１０１、回収樋収容ケース１０２、側部装飾パネル１０５を透光性部材（透明樹脂等）で構成して透光可能とし、流路ユニット発光基板１０３のうち遊技者側を向いた前面には複数個の発光体（ＬＥＤ）１０３ａを実装しており、該発光体１０３ａが光を前方のリアケース１０２ｂへ照射すると、リアケース１０２ｂ内で光が拡散し、この拡散した光がリアケース１０２ｂの前方や側方へ出射されるように構成されている。なお、リアケース１０２ｂの前方へ出射した光は、入賞球回収樋１０１、フロントパネル１０２ａ、第１ケース球流下路２６、流下路カバー２６ａを通って遊技者側（遊技盤６の前方）へ放射され、リアケース１０２ｂの側方（詳しくは、側部装飾パネル１０５側）へ出射した光は、側部装飾パネル１０５を通って表示装置５５側へ放射される。
【００２４】
そして、球流路ユニット９０は、当該球流路ユニット９０の流路ユニット発光基板１０３と、遊技盤６の裏面に装着される中継基板（電気基板）１０８とを複数本の配線１０９で接続し、さらには中継基板１０８と演出制御装置５９とを中継配線（図示せず）で接続して、演出制御装置５９等からの制御信号が中継配線、中継基板１０８、配線１０９を介して流路ユニット発光基板１０３へ送信されるように構成されている。具体的に説明すると、流路ユニット発光基板１０３のうち基板カバー１０４側を向いた裏面（言い換えると、発光体１０３ａが実装された前面とは反対側の裏面）には配線コネクタ１０３ｂを実装し、基板カバー１０４に開設されたコネクタ露出開口１０４ａから配線コネクタ１０３ｂを球流路ユニット９０の後方へ臨ませている。そして、配線１０９の一端を配線コネクタ１０３ｂへ接続する一方、配線１０９の他端を中継基板１０８上の配線コネクタ１０８ａへ接続し、配線１０９のうち基板カバー１０４側に位置する部分を基板カバー１０４の裏面に沿って球流路ユニット９０の上下方向へ延在させている。
【００２５】
また、流路ユニット発光基板１０３と中継基板１０８との間に位置する基板カバー１０４の裏面には配線係合部１１３を備え、無端帯状の結束バンド（係合部材）１１１を介して配線１０９を配線係合部１１３へ係合している。配線係合部１１３は、図８から図１０に示すように、配線１０９の延在方向（球流路ユニット９０の上下方向）に沿って離間した一対の係合支持部１１４を基板カバー１０４の後方へ向けて突設し、係合支持部１１４の突出端部同士の間に係合本体部１１５を架設している。また、一対の係合支持部１１４と係合本体部１１５とで囲まれた空間部を係合挿通穴１１６として結束バンド１１１を挿通可能とし、基板カバー１０４のうち一対の係合支持部１１４同士の間に開設されたカバー貫通穴１０４ｂと係合挿通穴１１６とを連通している（図７（ｃ）および図８参照）。
【００２６】
さらに、係合本体部１１５には、結束バンド１１１の移動を規制する係合移動規制部１１８を備えている。詳しくは、係合本体部１１５のうち遊技盤６の後方を向いた後縁部に係合移動規制部１１８を凹み形状で形成して結束バンド１１１を嵌合可能とし、嵌合した結束バンド１１１の移動（具体的には、結束バンド１１１が配線１０９の延在方向に沿ってずれること）を規制するように構成されている。また、係合移動規制部１１８の深さ寸法（係合移動規制部１１８を構成する凹みの段差寸法）ｄを結束バンド１１１の厚さ寸法ｔよりも大きく設定して、係合移動規制部１１８内の結束バンド１１１が配線係合部１１３よりも遊技盤６の後方へ突出することを避けている（図７（ｃ）参照）。
【００２７】
このような構成の配線係合部１１３に配線１０９を係合するには、まず、複数本の配線１０９を一対の係合支持部１１４の間に側方から掛け渡し、係合支持部１１４の突出方向（球流路ユニット９０の前後方向）に沿って並べる。このようにして配線１０９を配線係合部１１３へ当接したならば、無端帯状にする前の結束バンド１１１（図７（ｄ）参照）を係合挿通穴１１６へ通し、結束バンド１１１の端部同士を係止して無端帯状にする。このとき、結束バンド１１１を係合移動規制部１１８に嵌合しながら係止作業（結束バンド１１１の無端帯化）を行うことで、係止作業中に結束バンド１１１が不用意に配線係合部１１３からずれ難くなり、結束バンド１１１の端部同士の係止作業をスムーズに行うことができる。
【００２８】
結束バンド１１１の端部同士を係止して結束バンド１１１を無端帯状にすると、図５および図７に示すように、配線１０９が係合本体部１１５とともに無端帯状の結束バンド１１１内に結束される。言い換えると、配線１０９が結束バンド１１１によって係合本体部１１５（配線係合部１１３）へ係合される。さらに、結束バンド１１１の一部が係合移動規制部１１８に嵌合し、結束バンド１１１が係合本体部１１５の延在方向（言い換えると、配線１０９の延在方向）にずれることを規制されて安定する。したがって、結束バンド１１１が傾く等して不安定になる不都合、さらには不安定な結束バンド１１１が配線１０９の一部に集中荷重を掛けて配線１０９が断線し易くなってしまう不都合を抑制することができる。そして、結束バンド１１１の安定に伴って配線１０９が安定し、パチンコ遊技機１内での配線１０９の損傷や断線等の不具合を防止することができる。
【００２９】
また、係合移動規制部１１８の深さ寸法ｄを結束バンド（係合部材）１１１の厚さ寸法ｔよりも大きく設定して、結束バンド１１１が配線係合部１１３よりも遊技盤６の後方へ突出することを避けているので、結束バンド１１１が他の構成や作業員の手等にぶつかり難くなり、結束バンド１１１の不用意な損傷や切断、さらには結束バンド１１１の切断によって配線１０９が配線係合部１１３からはずれてしまう不都合を抑えることができる。さらに、結束バンド１１１が配線係合部１１３の後側から出っ張ることがなく、パチンコ遊技機１内の限られたスペースを有効に活用することができる。
【００３０】
次に、制御ユニット５４について説明する。
制御ユニット５４は、図１１に示すように、遊技ベースユニット２２の裏面に止着されるユニットケース１３０を前側が開放した状態で備え、該ユニットケース１３０の後部には矩形状の表示開口窓１３０ａを前後方向へ貫通して開設し、ユニットケース１３０の後方に装着された表示装置５５の表示部５５ａを表示開口窓１３０ａに臨ませている。さらに、ユニットケース１３０の前側開放部には、遊技の進行に伴って装飾演出を実行可能なユニットを複数（本実施形態では３つ）組み合わせて収納している。具体的に説明すると、ユニットケース１３０のうち、表示開口窓１３０ａの上縁部の前方に位置する箇所には横長な上側役物ユニット１３１を配置し、表示開口窓１３０ａの下縁部の前方に位置する箇所には横長な下側役物ユニット１３３を配置し、ユニットケース１３０の一側（図１１中、左側）における上側役物ユニット１３１と下側役物ユニット１３３との間には縦長な発光装飾ユニット１３５を配置している。そして、下側役物ユニット１３３の下部の前方にはセンターケース２３の進入規制壁７８が位置するように構成されている。なお、上側役物ユニット１３１には、昇降して演出動作を実行する昇降演出部材１３１ａを備えている。また、ユニットケース１３０のうち発光装飾ユニット１３５の側方（図１１中、左側方）、および、下側役物ユニット１３３の側部（図１１中、左側部）には、不正行為検出用の磁気センサ（詳しくは、遊技球を不正に操作しようとする磁石等の磁力を検出可能な磁気センサ）１３７をそれぞれ装着している。
【００３１】
次に、下側役物ユニット１３３について説明する。
下側役物ユニット１３３は、可動部材を回動して装飾演出を実行するユニットであり、図１２に示すように、前部の下側ユニットカバー１４１ａと後部の下側ユニットベース１４１ｂとを前後に重ねて構成された横長な下側ユニットケース１４１と、該下側ユニットケース１４１内に回動可能な状態で接続された左右の下側回動役物（可動部材）１４２と、下側ユニットカバー１４１ａに装着された下側回動モータ（駆動源）１４３と、該下側回動モータ１４３と下側回動役物１４２とを接続する役物回動伝達機構（駆動伝達機構）１４４と、下側ユニットケース１４１内の左右方向の中央部分に配置された役物ユニット中継基板（電気基板）１４５と、該役物ユニット中継基板１４５の前方に配置されたユニット装飾部１４６とを備えて構成されている。
【００３２】
具体的には、下側ユニットケース１４１内の左右両側に下側回動役物１４２の下部を回動可能な状態でそれぞれ軸着し、下側ユニットカバー１４１ａには下側回動モータ１４３をそれぞれ装着して下側回動モータ１４３の出力軸を下側ユニットベース１４１ｂ側へ突出している。さらに、下側ユニットベース１４１ｂのうち下側回動モータ１４３の出力軸と下側回動役物１４２との間には、複数枚（本実施形態では４枚）のギアを噛合して構成された役物回動伝達機構１４４をそれぞれ備え、下側回動モータ１４３からの出力（駆動力）を役物回動伝達機構１４４により下側回動役物１４２へ伝達して下側回動役物１４２を回動可能としている。また、下側ユニットカバー１４１ａには複数のコネクタ露出開口１４８を開設し、役物ユニット中継基板１４５には複数の中継側配線コネクタ１４５ａを実装してコネクタ露出開口１４８から当該下側役物ユニット１３３の前方へ臨ませ、中継側配線コネクタ１４５ａに下側回動モータ１４３、下側回動役物１４２、演出制御装置５９をそれぞれ電気的に接続して、演出制御装置５９から出力された制御信号が役物ユニット中継基板１４５を介して下側回動モータ１４３、下側回動役物１４２へ送信されることにより、下側回動モータ１４３が駆動したり、下側回動役物１４２の内部構造が発光したりするように構成されている。
【００３３】
下側回動役物１４２は、図１３に示すように、下側ユニットベース１４１ｂに下側が軸着される回動役物ベース１５１を備え、該回動役物ベース１５１の前面には、当該回動役物ベース１５１側から回動役物発光基板（電気基板）１５２、回動役物装飾パネル１５３の順に重ねて配置し、回動役物装飾パネル１５３を透光部材（透明樹脂等）で構成して透光可能とし、回動役物発光基板１５２の前面（回動役物装飾パネル１５３側）にはＬＥＤ等の発光体１５２ａを実装している。また、回動役物ベース１５１の下部には、回動中心となる役物軸受部１５５を開設し、該役物軸受部１５５から側方へ外れた箇所には、役物回動伝達機構１４４が噛合する扇状の役物ギア１５６を備え、回動役物ベース１５１の上部には役物ガイド突起１５７を突設して、下側ユニットカバー１４１ａに開設された円弧状（詳しくは、下側回動役物１４２の回動方向に沿って延在する円弧状）の役物ガイド溝１５８へ係合している。さらに、回動役物ベース１５１の上縁部には役物検出片１５９を突設し、下側ユニットベース１４１ｂに設けられた回動役物位置検出センサ１６０（図１２参照）により役物検出片１５９を検出可能としている。
【００３４】
このような構成を備えた下側役物ユニット１３３においては、図１４および図１５に示すように、下側回動モータ１４３を駆動すると、この駆動力が役物回動伝達機構１４４を介して下側回動役物１４２へ伝達して下側回動役物１４２が回動する。そして、下側ユニットケース１４１内の演出非実行位置（倒伏位置）に下側回動役物１４２が横向き倒伏姿勢で配置される演出非実行状態（図１４（ａ）参照）と、該演出非実行状態から下側回動役物１４２が上方へ回動して表示部５５ａの前方の演出実行位置（起立位置）に縦向き起立姿勢で配置される演出実行状態（図１５参照）とに変換するように構成されている。また、演出非実行状態においては、回動役物位置検出センサ１６０が役物検出片１５９を検出して、下側回動役物１４２が演出非実行位置に配置されていること（下側回動役物１４２が演出非実行状態であること）を把握することができるように構成されている。
【００３５】
そして、下側役物ユニット１３３は、図１６（ｂ）および図１８に示すように、下側回動役物１４２の回動役物発光基板１５２と役物ユニット中継基板１４５とを複数本の発光接続配線（配線）１６５で接続し、さらには役物ユニット中継基板１４５と演出制御装置５９とを中継配線（図示せず）で接続して、演出制御装置５９等からの制御信号が中継配線、役物ユニット中継基板１４５、発光接続配線１６５を介して回動役物発光基板１５２へ送信されるように構成されている。具体的に説明すると、回動役物発光基板１５２のうち回動役物ベース１５１側を向いた裏面（言い換えると、発光体１５２ａが実装された表面（前面）とは反対側の裏面）には役物側配線コネクタ１５２ｂを実装して（図１３（ｂ）および図１８参照）、回動役物ベース１５１と回動役物装飾パネル１５３との間から下側回動役物１４２の下方へ臨ませている。そして、発光接続配線１６５の一端を役物側配線コネクタ１５２ｂへ接続し、他端を役物ユニット中継基板１４５の中継側配線コネクタ１４５ａへ接続している。
【００３６】
また、図１３（ｂ）に示すように、回動役物ベース１５１のうち役物軸受部１５５と役物ギア１５６との間には、下側回動役物１４２の回動中心軸と平行な係合軸部１６７を備え、該係合軸部１６７に役物側配線係合部（配線係合部）１６８を回動可能な状態で軸着し、該役物側配線係合部１６８に無端帯状の結束バンド（係合部材）１７１（図１６（ｂ）参照）を介して発光接続配線１６５を係合するように構成されている。なお、本実施形態では、図１４および図１５に示すように、一方の下側回動役物１４２（図１４（ａ）中、右側の下側回動役物１４２）にのみ役物側配線係合部１６８を備えているが、本発明はこれに限定されず、他方の下側回動役物１４２（図１４（ａ）中、左側の下側回動役物１４２）にも役物側配線係合部１６８を備えてもよい。
【００３７】
役物側配線係合部１６８は、図１３（ｂ）および図１６に示すように、当該役物側配線係合部１６８の基部となる横向き短冊状の係合アーム１７５を下側役物ユニット１３３の左右方向に沿って延在する姿勢で備え、該係合アーム１７５のうち役物軸受部１５５側（図１３（ｂ）中、左側）に位置する基部には、係合軸部１６７に軸着される係合軸受１７６を備え、フランジ付きビス等の軸受ストッパー１７７を係合軸部１６７に前後方向に通して止着し、係合軸受１７６の係合軸部１６７からの脱落を阻止している。また、係合アーム１７５のうち役物ギア１５６側（図１３（ｂ）中、右側）の下縁部、言い換えると、係合アーム１７５の自由端側の下縁部には、係合アーム１７５の長尺方向に沿って離間した一対の係合支持部１８４を下側回動役物１４２の前方へ向けて突設し、係合支持部１８４の突出端部同士の間に係合本体部１８５を架設している。そして、一対の係合支持部１８４と係合本体部１８５とで囲まれた空間部を係合挿通穴１８６として結束バンド１７１を挿通可能としている。
【００３８】
さらに、係合本体部１８５には、結束バンド１７１の移動を規制する係合移動規制部１８８を備えている。詳しくは、係合本体部１８５のうち下側ユニットカバー１４１ａ側を向いた前縁部に係合移動規制部１８８を凹み形状で形成して結束バンド１７１を嵌合可能とし、嵌合した結束バンド１７１の移動（具体的には、結束バンド１７１が発光接続配線１６５の延在方向に沿ってずれること）を規制するように構成されている。また、図１６（ｂ）に示すように、係合移動規制部１８８の深さ寸法（係合移動規制部１８８を構成する凹みの段差寸法）ｄを結束バンド１７１の厚さ寸法ｔよりも大きく設定して、係合移動規制部１８８内の結束バンド１７１が役物側配線係合部１６８よりも前方の下側ユニットカバー１４１ａ側へ突出することを避けている。
【００３９】
このような構成の役物側配線係合部１６８に発光接続配線１６５を係合するには、まず、複数本の発光接続配線１６５を一対の係合支持部１８４の間に上方から掛け渡し、係合支持部１８４の突出方向（下側役物ユニット１３３の前後方向）に沿って並べる（図１６（ｂ）参照）。このようにして発光接続配線１６５を役物側配線係合部１６８に当接したならば、無端帯状にする前の結束バンド１７１を係合挿通穴１８６へ通し、結束バンド１７１の端部同士を係止して無端帯状にする。このとき、結束バンド１７１を係合移動規制部１８８に嵌合しながら係止作業を行うことで、係止作業中に結束バンド１７１が不用意に役物側配線係合部１６８からずれ難くなり、結束バンド１７１の端部同士の係止作業をスムーズに行うことができる。
【００４０】
結束バンド１７１の端部同士を係止して結束バンド１７１を無端帯状にすると、発光接続配線１６５が係合本体部１８５とともに無端帯状の結束バンド１７１内に結束される。言い換えると、発光接続配線１６５が結束バンド１７１によって係合本体部１８５（役物側配線係合部１６８）へ係合される。また、係合アーム１７５が仕切り部材として発光接続配線１６５と回動役物ベース１５１との間に介在する。さらに、結束バンド１７１の一部が係合移動規制部１８８に嵌合し、結束バンド１７１が係合本体部１８５の延在方向（言い換えると、発光接続配線１６５の延在方向）にずれることを規制されて安定する。したがって、結束バンド１７１が傾く等して不安定になる不都合、さらには不安定な結束バンド１７１が発光接続配線１６５の一部に集中荷重を掛けて発光接続配線１６５が断線し易くなってしまう不都合を抑制することができる。また、結束バンド１７１の安定に伴って発光接続配線１６５が安定し（具体的には、発光接続配線１６５の係合状態が安定し）、下側回動役物１４２上での発光接続配線１６５の損傷や断線等の不具合を防止することができる。
【００４１】
そして、下側役物ユニット１３３は、下側ユニットカバー１４１ａにも発光接続配線１６５を係合可能な構成を備えている。具体的には、図１７および図１８に示すように、下側ユニットカバー１４１ａの前面部のうちコネクタ露出開口１４８（役物ユニット中継基板１４５）と下側回動役物１４２との間に位置する箇所には、無端帯状の結束バンド（係合部材）１９１を介して発光接続配線１６５を係合するカバー側配線係合部１９３を備えている。カバー側配線係合部１９３は、下側ユニットカバー１４１ａの左右方向に沿って離間した一対の係合支持部１９４を下側ユニットカバー１４１ａの前方へ向けて突設し、係合支持部１９４の突出端部同士の間に係合本体部１９５を架設している。また、一対の係合支持部１９４と係合本体部１９５とで囲まれた空間部を係合挿通穴１９６として結束バンド１９１を挿通可能とし、下側ユニットカバー１４１ａのうち一対の係合支持部１９４同士の間に開設されたカバー貫通穴１９７と係合挿通穴１９６とを連通している（図１７参照）。
【００４２】
さらに、下側ユニットカバー１４１ａの係合本体部１９５にも、結束バンド１９１の移動を規制する係合移動規制部１９８を備えている。詳しくは、図１７（ｂ）に示すように、係合本体部１９５のうち下側ユニットカバー１４１ａの前方を向いた前縁部（図１７（ｂ）中、上縁部）に係合移動規制部１９８を凹み形状で形成して結束バンド１９１を嵌合可能とし、嵌合した結束バンド１９１の移動（具体的には、結束バンド１９１が発光接続配線１６５の延在方向に沿ってずれること）を規制するように構成されている。また、係合移動規制部１９８の深さ寸法（係合移動規制部１９８を構成する凹みの段差寸法）ｄを結束バンド１９１の厚さ寸法ｔよりも大きく設定して、係合移動規制部１９８内の結束バンド１９１がカバー側配線係合部１９３よりも前方のセンターケース２３側へ突出することを避けている。
【００４３】
そして、カバー側配線係合部１９３に発光接続配線１６５を係合するには、まず、複数本の発光接続配線１６５を一対の係合支持部１９４の間に下方から掛け渡し、係合支持部１９４の突出方向（下側役物ユニット１３３の前後方向）に沿って並べる（図１７（ｂ）参照）。このようにして発光接続配線１６５をカバー側配線係合部１９３に当接したならば、無端帯状にする前の結束バンド１９１を係合挿通穴１９６へ通し、結束バンド１９１の端部同士を係止して無端帯状にする。このとき、結束バンド１９１を係合移動規制部１９８に嵌合しながら係止作業を行うことで、係止作業中に結束バンド１９１が不用意にカバー側配線係合部１９３からずれ難くなり、結束バンド１９１の端部同士の係止作業をスムーズに行うことができる。
【００４４】
結束バンド１９１の端部同士を係止して結束バンド１９１を無端帯状にすると、発光接続配線１６５が係合本体部１９５とともに無端帯状の結束バンド１９１内に結束される。言い換えると、発光接続配線１６５が結束バンド１９１によって係合本体部１９５（カバー側配線係合部１９３）へ係合される。さらに、結束バンド１９１の一部が係合移動規制部１９８に嵌合し、結束バンド１９１が係合本体部１９５の延在方向（言い換えると、発光接続配線１６５の延在方向）にずれることを規制されて安定する。したがって、結束バンド１９１が傾く等して不安定になる不都合、さらには不安定な結束バンド１９１が発光接続配線１６５の一部に集中荷重を掛けて発光接続配線１６５が断線し易くなってしまう不都合を抑制することができる。また、結束バンド１９１の安定に伴って発光接続配線１６５が安定し（具体的には、発光接続配線１６５の係合状態が安定し）し、下側ユニットカバー１４１ａ上での発光接続配線１６５の損傷や断線等の不具合を防止することができる。
【００４５】
このようにして各配線係合部１６８，１９３に係合される発光接続配線１６５においては、図１８に示すように、役物ユニット中継基板１４５寄りの部分がカバー側配線係合部１９３の下方を通って下側ユニットカバー１４１ａの左右方向に沿って延在し、下側回動役物１４２寄りの部分が役物側配線コネクタ１５２ｂと役物側配線係合部１６８との間で十分に弛んだ状態（詳しくは、役物側配線係合部１６８の回動位置に拘らず十分に撓んだ状態）で配置されて役物側配線係合部１６８の上方を通っている。さらに、役物側配線係合部１６８とカバー側配線係合部１９３との間に位置する部分が下側ユニットカバー１４１ａの側方（図１８中、右側方）へ膨出する円弧状態で湾曲し、下側回動役物１４２の回動位置や役物側配線係合部１６８の回動位置に拘らず十分に弛んで発光接続配線１６５に張力が掛らないように構成されている。
【００４６】
次に、パチンコ遊技機１の遊技進行等の制御を行う遊技制御装置５８を中心とする制御系統について説明する。
遊技制御装置５８は、図１９に示すように、遊技制御を司るＣＰＵ、遊技制御のための制御プログラム等を記憶しているＲＯＭ、および遊技制御時にワークエリアとして利用されるＲＡＭ、入力部（入力インターフェース）、出力部（出力インターフェース）等から構成されている。そして、各種検出装置（磁気センサ１３７、電波センサ２０１、第１始動口スイッチ４６、第２始動口スイッチ４７、ゲートスイッチ２９、各一般入賞口３２，４２への遊技球の入賞を検出する入賞口スイッチ２０３、Ｖ入賞検出スイッチ９８、カウントスイッチ８６、前面枠開放検出スイッチ２０４、透明部材保持枠開放検出スイッチ２０５、電源装置２０６等）からの検出信号を受けて、遊技状態の切り替え（通常遊技状態と、通常遊技状態よりも遊技者に有利な特定遊技状態（大当り状態、電サポ状態等）との切り替え）、遊技者に対する報知、停電対応処理等、種々の処理を行う。さらに、演出制御装置５９を介して各ユニットの動作（球流路ユニット９０の発光動作や下側役物ユニット１３３の回動動作等）を制御する制御手段として機能したり、あるいは、払出制御装置２１０、大入賞口ソレノイド８５、普通電動役物４１ａを開閉駆動するための普電ソレノイド２１１、一括表示装置５１、外部情報端子２１２等に指令信号を送信したりして、遊技を統括的に制御する。
【００４７】
演出制御装置５９は、図２０に示すように、演出制御を司るＣＰＵ、演出制御を実行するための制御プログラムを格納したＰＲＯＭ、画像データ等を格納した画像ＲＯＭ、映像表示のための画像処理を行うＶＤＰ、入力インターフェース、出力インターフェース等から構成されている。そして、パチンコ遊技機１における遊技の進行に伴って発生する信号、具体的には、遊技制御装置５８からの制御信号、遊技演出ボタン１７に設けられた演出ボタンスイッチ２１７からの信号、各ユニット等に設けられたセンサからの信号等に基づいて、各ユニット等の演出動作を制御する。詳しくは、表示装置５５の表示部５５ａの表示、上スピーカ１１や下スピーカ１６からの効果音出力、遊技盤６に設けられた盤装飾装置２２０（球流路ユニット９０の発光基板や下側役物ユニット１３３の発光基板等）の発光や透明部材保持枠８に設けられたＬＥＤ等の枠装飾装置２２１の発光、遊技盤６に設けられた盤演出装置２２２（下側役物ユニット１３３の下側回動モータ１４３等）や透明部材保持枠８に設けられた演出部材（図示せず）を駆動するモータ等の枠演出装置２２３の駆動を制御する。
【００４８】
次に、下側回動役物１４２の回動動作に伴う発光接続配線１６５の挙動について、図２１から図２３に基づき説明する。なお、下側回動役物１４２は、遊技の進行に伴って遊技制御装置５８や演出制御装置５９による制御に基づいて回動動作される。
下側役物ユニット１３３においては、図２１（ａ）および図２３（ａ）に示すように、下側回動役物１４２を演出非実行状態に設定すると、役物側配線係合部１６８が係合軸受１７６側から下側役物ユニット１３３の側方（図２１（ａ）中、右側方）へ向かって下り傾斜した姿勢となり、役物側配線係合部１６８の配線本体部が下側回動役物１４２の役物軸受部１５５よりも下方に位置する。また、発光接続配線１６５が役物側配線コネクタ１５２ｂと役物側配線係合部１６８との間、および役物側配線係合部１６８とカバー側配線係合部１９３との間で十分に弛んだ状態に設定される。
【００４９】
このような演出非実行状態から下側回動モータ１４３を駆動して下側回動役物１４２を上方へ回動すると、図２１（ｂ）に示すように、役物側配線係合部１６８と役物側配線コネクタ１５２ｂとが下側回動役物１４２と共回りして上昇し、この上昇により役物側配線係合部１６８がカバー側配線係合部１９３から上方へ次第に離れて、発光接続配線１６５のうち役物側配線係合部１６８とカバー側配線係合部１９３との間に位置する弛み部分が次第に伸びる。また、伸ばされる発光接続配線１６５からの反力を受けて役物側配線係合部１６８が回動役物ベース１５１に対して下方へ回動する（言い換えると、役物側配線係合部（配線係合部）１６８の軸着箇所を中心にして位相をずらす相対運動を実行する）。さらに、役物側配線係合部１６８の回動役物ベース１５１に対する下方回動により、役物側配線係合部１６８が役物側配線コネクタ１５２ｂから下方へ次第に離れて、発光接続配線１６５のうち役物側配線係合部１６８と役物側配線コネクタ１５２ｂとの間に位置する弛み部分が次第に伸びる。この結果、役物側配線係合部１６８は、下側回動役物１４２との共回りによる上方回動と、係合軸部１６７を中心とする下方回動とを併せて行うことで、演出非実行状態における下り傾斜姿勢を殆ど維持しながら上昇する。
【００５０】
引き続き下側回動モータ１４３を駆動して下側回動役物１４２を演出実行状態へ変換すると、図２２および図２３（ｂ）に示すように、役物側配線係合部１６８と役物側配線コネクタ１５２ｂとが下側回動役物１４２と共回りして上死位置にそれぞれ到達する。なお、役物側配線係合部１６８においては、演出非実行状態での下り傾斜姿勢を殆ど維持した状態で上死位置に到達する。また、役物側配線係合部１６８とカバー側配線係合部１９３とが最も離間するとともに、役物側配線係合部１６８と役物側配線コネクタ１５２ｂとが最も離間し、発光接続配線１６５が弛みを残しながらも演出非実行状態のときよりも伸びる。
【００５１】
そして、下側回動モータ１４３を駆動して下側回動役物１４２を演出実行状態から演出非実行状態へ戻すと、役物側配線係合部１６８は、下側回動役物１４２の上昇時における動作とは反対の動作、すなわち、下側回動役物１４２との共回りによる下方回動と、係合軸部１６７を中心とする上方回動とを併せて行うことで、演出実行状態における下り傾斜姿勢を殆ど維持しながら下降する。また、役物側配線係合部１６８とカバー側配線係合部１９３との離間距離、および、役物側配線係合部１６８と役物側配線コネクタ１５２ｂとの離間距離が演出非実行状態での設定に戻るとともに、発光接続配線１６５の弛みが戻る。
【００５２】
このようにして、役物側配線係合部１６８が下側回動役物１４２に対して回動可能（相対運動可能）であることにより、役物側配線係合部１６８の姿勢（下り傾斜姿勢）が下側回動役物１４２の昇降動作に拘らず極端に変わらない。このため、発光接続配線１６５の一部（役物側配線係合部１６８に係合されている部分）が下側回動役物１４２の昇降動作（回動）に伴って極端に向きを変えて暴れてしまう不都合、ひいては暴れた発光接続配線１６５が他の構成に絡まって断線してしまう不都合（例えば、役物ギア１５６や役物回動伝達機構１４４の歯に挟まって断線してしまう不都合）を抑えることができる。また、役物側配線係合部１６８の係合アーム１７５が発光接続配線１６５と回動役物ベース１５１との間を仕切っているので、発光接続配線１６５が回動役物ベース１５１に近づくこと、さらには、役物ギア１５６に挟まって断線することを阻止することができる。
【００５３】
また、係合移動規制部１８８，１９８の深さ寸法ｄを結束バンド（係合部材）１７１，１９１の厚さ寸法ｔよりも大きく設定して、結束バンド１７１，１９１が各配線係合部１６８，１９３よりも前方の遊技者側へ突出することを避けているので、結束バンド１７１，１９１が他の構成や作業員の手等にぶつかり難くなり、係合部材の不用意な損傷や切断、さらには結束バンド１７１，１９１の切断によって発光接続配線１６５が各配線係合部１６８，１９３からはずれてしまう不都合を抑えることができる。さらに、結束バンド１７１，１９１が各配線係合部１６８，１９３の前側から出っ張ることがなく、パチンコ遊技機１内の限られたスペースを有効に活用することができる。
【００５４】
なお、役物側配線係合部１６８においては、係合された発光接続配線１６５を役物側配線係合部１６８に対して摺動可能（詳しくは、発光接続配線１６５の延在方向に沿って摺動可能）としてもよい。例えば、無端帯状の結束バンド１７１内に配線を遊嵌したり、あるいは、役物側配線係合部１６８のうち発光接続配線１６５が当接する箇所に遊嵌溝を形成したりして、該遊嵌溝に発光接続配線１６５を遊嵌してもよい。このような遊嵌構成を備えて発光接続配線１６５を摺動可能とすれば、下側回動役物１４２の動作に拘らず、役物側配線コネクタ１５２ｂと役物側配線係合部１６８との間で発光接続配線１６５に張力が掛ることを避けることができ、発光接続配線１６５の断線や役物側配線コネクタ１５２ｂからの脱落を抑制することができる。
【００５５】
ところで、上記実施形態では、係合移動規制部１１８，１８８，１９８を凹み形状で構成したが、本発明はこれに限定されない。要は、配線係合部において結束バンドの移動を規制することができれば、どのような構造で係合移動規制部を構成してもよい。例えば、結束バンドが挿通される貫通穴でもよいし、あるいは、結束バンドの両側縁に当接可能な一対の突起でもよい。また、本発明における係合部材の一例として結束バンド１１１，１７１，１９１を挙げたが、本発明はこれに限定されない。要は配線を配線係合部へ係合することができれば、どのような構成の係合部材を採用してもよい。さらに、本発明における基板（電気基板）として中継基板１０８，１４５や発光基板１０３，１５２を例示したが、本発明はこれに限定されない。要は、配線によって互いに接続される基板同士であれば、どのような機能を有する基板の組み合わせを採用してもよい。
【００５６】
また、上記実施形態では、本発明の可動部材の一例として下側回動役物１４２を挙げたが、本発明はこれに限定されない。要は、遊技の進行に伴って動作可能な可動部材であれば、当該可動部材の構成や動作態様は問わない。そして、下側回動役物１４２に役物側配線係合部１６８を回動可能な状態で装着したが、本発明はこれに限定されない。要は、配線係合部が可動部材に対して相対運動し得る状態で装着されていれば、どのような態様の相対運動を設定してもよい。例えば、可動部材に対して配線係合部がスライド移動するように構成してもよいし、あるいは、スライドしながら回動するように構成してもよい。
【００５７】
さらに、上記実施形態では、代表的な遊技機であるパチンコ遊技機を例にして説明したが、本発明はこれに限らずどのような遊技機でもよい。例えば、封入球式パチンコ機、アレンジボール式遊技機、雀球式遊技機、スロットマシン等の遊技機であってもよい。
【００５８】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００５９】
１  パチンコ遊技機
５  遊技領域
６  遊技盤
２３  センターケース
５４  制御ユニット
５５  表示装置
５８  遊技制御装置
５９  演出制御装置
９０  球流路ユニット
１０１  入賞球回収樋
１０２  回収樋収容ケース
１０３  流路ユニット発光基板
１０３ａ  発光体
１０３ｂ  配線コネクタ
１０４  基板カバー
１０４ａ  コネクタ露出開口
１０８  中継基板
１０８ａ  配線コネクタ
１０９  配線
１１１  結束バンド
１１３  配線係合部
１１４  係合支持部
１１５  係合本体部
１１６  係合挿通穴
１１８  係合移動規制部
１３０  ユニットケース
１３１  上側役物ユニット
１３３  下側役物ユニット
１３５  発光装飾ユニット
１４１  下側ユニットケース
１４１ａ  下側ユニットカバー
１４１ｂ  下側ユニットベース
１４２  下側回動役物
１４３  下側回動モータ
１４４  役物回動伝達機構
１４５  役物ユニット中継基板
１４５ａ  中継側配線コネクタ
１４８  コネクタ露出開口
１５１  回動役物ベース
１５２  回動役物発光基板
１５２ａ  発光体
１５２ｂ  役物側配線コネクタ
１５３  回動役物装飾パネル
１５５  役物軸受部
１５６  役物ギア
１６５  発光接続配線
１６７  係合軸部
１６８  役物側配線係合部
１７１  結束バンド
１７５  係合アーム
１７６  係合軸受
１８４  係合支持部
１８５  係合本体部
１８６  係合挿通穴
１８８  係合移動規制部
１９１  結束バンド
１９３  カバー側配線係合部
１９４  係合支持部
１９５  係合本体部
１９６  係合挿通穴
１９７  カバー貫通穴
１９８  係合移動規制部
【図１】
2019146728.tif 000003
【図２】
2019146728.tif 000004
【図３】
2019146728.tif 000005
【図４】
2019146728.tif 000006
【図５】
2019146728.tif 000007
【図６】
2019146728.tif 000008
【図７】
2019146728.tif 000009
【図８】
2019146728.tif 000010
【図９】
2019146728.tif 000011
【図１０】
2019146728.tif 000012
【図１１】
2019146728.tif 000013
【図１２】
2019146728.tif 000014
【図１３】
2019146728.tif 000015
【図１４】
2019146728.tif 000016
【図１５】
2019146728.tif 000017
【図１６】
2019146728.tif 000018
【図１７】
2019146728.tif 000019
【図１８】
2019146728.tif 000020
【図１９】
2019146728.tif 000021
【図２０】
2019146728.tif 000022
【図２１】
2019146728.tif 000023
【図２２】
2019146728.tif 000024
【図２３】
2019146728.tif 000025